(57)【特許請求の範囲】
【請求項１】
浴槽の長手方向に沿う側面に隣接して配置されるフレームと、前記フレームの上に設置されるフロアとからなる衛生設備室用床であって、
前記フレームは、前記長手方向の中央に形成された作業用開口部と脚部とを備え、
前記フロアは、前記フレーム上における前記長手方向の両側に設置される側部フロアと、前記側部フロア間の幅に幅を揃えて前記フレーム上における前記側部フロア間に設置される中央フロアとで構成され、さらに、
前記中央フロアが、排水口を備えた排水部フロアと中央フロア本体とに分割されていることを特徴とする衛生設備室用床。
【請求項２】
前記側部フロアには、前記中央フロアに向けた水勾配が設けられ、前記中央フロア本体は平板で構成され、前記排水部フロアに向けた水勾配が形成されるように設置されている請求項１に記載の衛生設備室用床。
【請求項３】
浴槽の長手方向に沿う側面に隣接して配置され、前記長手方向の中央に形成された作業用開口部と脚部とを備えるフレームと、前記フレームの上に設置されるフロアとを設置する衛生設備室用床の施工方法であって、
前記フレーム上における前記長手方向の両側にそれぞれ側部フロアを設置する側部フロア設置工程と、
前記フレーム上における前記長手方向の中央における一方に、前記側部フロア間の幅に幅を揃えて排水部フロアを設置する排水部フロア設置工程と、
前記フレーム上における前記長手方向の中央における他方に、前記側部フロア間の幅に幅を揃えて中央フロア本体を設置する中央フロア本体設置工程と
を備え、
前記中央フロア本体設置工程を、前記側部フロア設置工程および前記排水部フロア設置工程後に行なうことを特徴とする衛生設備室用床の施工方法。
【発明の詳細な説明】
【技術分野】
【０００１】
本発明は、浴槽を備えた浴室や、浴槽の他に洗面設備や便器も備えた浴室等の衛生設備室に設置される衛生設備室用床およびその施工方法に関する。
【背景技術】
【０００２】
従来から、システムバス等の衛生設備室には、浴槽の側部に洗い場を形成する衛生設備室用床が設置されている。この衛生設備室用床としては大きさの異なる複数種類の成形品からなるものを準備して、衛生設備室を設置するスペースに応じて決定した衛生設備室の広さに適した衛生設備室用床を選択して使用している。しかしながら、これによると大きさの異なる複数種類の衛生設備室用床を成形しなければならないため、金型等の費用がかさむようになる。このような費用を減少させるために、大きさの調節ができる衛生設備室用床も開発されている（例えば、特許文献１参照）。
【０００３】
この衛生設備室用床（寸法可変式床パン）は、洗い場部と、浴槽載置部とをそれぞれ２枚の分割片と、各２枚の分割片間に設置される蓋プレートとで構成している。そして、それぞれの２枚の分割片の対向する部分には、互いに重なった状態で摺接することにより重なった部分の幅を変更できる幅寸法調整部が設けられている。また、蓋プレートとしては、予め大きなものを準備して、この蓋プレートを、適宜、幅寸法調整部の幅に切断して幅寸法調整部上に設置している。これによって、洗い場部と、浴槽載置部との寸法を調整することができ、幅寸法調整部の上部は蓋プレートで覆うことができる。
【先行技術文献】
【特許文献】
【０００４】
【特許文献１】特開平８−２７８５６号公報
【発明の概要】
【０００５】
衛生設備室を組み立てる際には、洗い場部と浴槽載置部だけでなく、浴槽、壁面部等の設置や各種の配管等の接続も必要になる。しかしながら、前述した衛生設備室用床では、床下での作業に対する配慮がなされてないため、床下での配管接続の作業がし難いという問題がある。
【０００６】
本発明は、前述した問題に対処するためになされたもので、その目的は、衛生設備室を設置するスペースに合わせて大きさを調整でき、さらにその施工が容易になる衛生設備室用床およびその施工方法を提供することである。なお、本発明において、衛生設備室とは、少なくとも、浴槽と洗い場とを有する浴室をいい、浴槽と洗い場と洗面設備とを有する浴室や、浴槽と洗い場と洗面設備と便器とを有する浴室など他の設備を有するものを含むものとする。また、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００７】
前述した目的を達成するため、本発明に係る衛生設備室用床の構成上の特徴は、浴槽（３５）の長手方向に沿う側面（浴槽の長辺側の側面）に隣接して配置されるフレーム（１０）と、フレームの上に設置されるフロア（２０）とからなる衛生設備室用床（Ａ）であって、フレームは、前記長手方向の中央に形成された作業用開口部（１７）と脚部（１２ａ，１２ｂ）とを備え、フロアは、フレーム上における前記長手方向の両側に設置される側部フロア（２１，２２）と、側部フロア間の幅に幅を揃えてフレーム上における側部フロア間に設置される中央フロアとで構成され、さらに、中央フロアが、排水口を備えた排水部フロア（２３）と中央フロア本体（２４）とに分割されていることにある。
【０００８】
本発明に係る衛生設備室用床は、フレーム上の両側に設置される一対の側部フロアとして所定の大きさに設定されたものを用い、中央フロアとして、切断し、サイズ調整し得る大きさのものを準備しておく。そして、中央フロアとして用いられる排水部フロアと中央フロア本体とを、それぞれ一対の側部フロアの間隔に合った大きさに切断して設置することにより、衛生設備室用床の大きさを任意のものにすることができる。
【０００９】
なお、側部フロアとしては少数の種類、例えば、浴槽の長手方向に直交する方向の長さが異なるものを数種類準備しておくことが好ましい。これによると、衛生設備室用床における浴槽の長手方向に直交する方向の長さに応じた側部フロアを数種類の側部フロアの中から選択し、浴槽の長手方向に沿った部分については、中央フロアの幅を調節することにより対応できる。また、フレームについては、例えば、棒状の部材を所定の長さに切断して枠状に組み立てることにより、各種サイズに対応できる。
【００１０】
さらに、フレームには、作業用開口部と脚部とが備わっており、作業用開口部には、フロアの一部を構成する中央フロアが設置される。このため、中央フロア、特に、中央フロアを構成する中央フロア本体を最後に設置するようにして、作業用開口部が開口した状態にしておくと、フレームに設けた脚部により、フレームの下方に生じた空間へ、作業用開口部から手を延ばして配管の接続作業等を行うことができる。なお、脚部としては、高さ調節ができるものを用いることが好ましい。
【００１１】
本発明に係る衛生設備室用床の他の構成上の特徴は、側部フロアには、中央フロアに向けた水勾配が設けられ、中央フロア本体は平板で構成され、排水部フロアに向けた水勾配が形成されるように設置されていることにある。これによると、施工後の使用の際に、衛生設備室用床上の湯水が排水部フロアに向かって流れるため、衛生設備室用床上に湯水が溜まることがなくなる。また、中央フロア本体を平板で構成しているため、中央フロア本体をどの部分で切断しても、その切断面形状、すなわち、側部フロアと隣接する側面形状が同じになるので、切断するだけで一対の側部フロア間に設置することができる。
【００１２】
本発明に係る衛生設備室用床の施工方法の構成上の特徴は、浴槽の長手方向に沿う側面に隣接して配置され、前記長手方向の中央に形成された作業用開口部と脚部とを備えるフレームと、フレームの上に設置されるフロアとを設置する衛生設備室用床の施工方法であって、フレーム上における長手方向の両側にそれぞれ側部フロアを設置する側部フロア設置工程と、フレーム上における長手方向の中央における一方に、側部フロア間の幅に幅を揃えて排水部フロアを設置する排水部フロア設置工程と、フレーム上における長手方向の中央における他方に、側部フロア間の幅に幅を揃えて中央フロア本体を設置する中央フロア本体設置工程とを備え、中央フロア本体設置工程を、側部フロア設置工程および排水部フロア設置工程後に行なうことにある。
【００１３】
本発明によると、中央フロアとして用いられる排水部フロアと中央フロア本体とを、それぞれ一対の側部フロアの間隔に合った大きさに切断して設置することにより、衛生設備室用床の大きさを任意の大きさにすることができる。また、各工程の最後に、中央フロア本体を設置してフレームの作業用開口部を塞ぐようにしているので、作業用開口部を利用して床下での配管の接続作業等が容易になる。
【図面の簡単な説明】
【００１４】
【図１】本発明の一実施形態に係る衛生設備室用床を示した斜視図である。
【図２】本発明の一実施形態に係る衛生設備室用床を示した分解斜視図である。
【図３】図２の衛生設備室用床を別の角度から見た状態を示した分解斜視図である。
【図４】フレームを示した斜視図である。
【図５】側部フロアを示した斜視図である。
【図６】排水部フロアを示した斜視図である。
【図７】壁載置部材を示した斜視図である。
【図８】フレームに側部フロアと排水部フロアとを組み付けた状態を示した斜視図である。
【図９】図８の組付体に浴槽用防水パンを組み付けた状態を示した斜視図である。
【図１０】図９の組付体と浴槽用防水パンとの周囲に壁面部を組み付けた状態を示した斜視図である。
【図１１】図１０の浴槽用防水パンに浴槽を設置した状態を示した斜視図である。
【図１２】図１１のフレームに中央フロア本体を取り付けた状態を示した斜視図である。
【図１３】浴槽、洗面台および便器を含むシステムバスを示した斜視図である。
【発明を実施するための形態】
【００１５】
以下、本発明の一実施形態を図面を用いて説明する。図１は、同実施形態に係る衛生設備室用床Ａを示しており、この衛生設備室用床Ａは、システムバスＢ（図１２参照）の洗い場側の床面を構成するものである。衛生設備室用床Ａは、フレーム１０と、フレーム１０の上部に設置されたフロア２０と、フロア２０の上面に張り付けられた表面材３０とで構成されており、図２および図３は、表面材３０を除いた衛生設備室用床Ａを分解した状態を示している。
【００１６】
フレーム１０は、図４に示したように、金属製の中空角材を枠状に組み立てて構成されるフレーム本体１１と、フレーム本体１１の前端部の下面両側に設けられた２個の脚部１２ａと、フレーム本体１１の後部の下面両側に設けられた２個の脚部１２ｂとで構成されている。本実施形態においては、図１および図４の左下から右上にかけての方向を左右方向とし、右下から左上にかけての方向を前後方向（右下が前方で左上が後方）として説明する。フレーム本体１１は、衛生設備室を設置するスペースに応じて決定した衛生設備室の長手方向（左右方向）の寸法に合わせて切断され洗い場の前後の奥行き分間隔を保って配置された一対の前桟１３ａ，後桟１３ｂと、前桟１３ａ，後桟１３ｂの対向する端部どうしを接続する一対の左桟１４ａ，右桟１４ｂとからなる四角形の外枠を備えている。
【００１７】
後桟１３ｂの近傍には、後桟１３ｂに平行して延びる中桟１３ｃが配置されており、その両端は左桟１４ａ，右桟１４ｂに固定されている。そして、後桟１３ｂと中桟１３ｃとの左右方向の中央部分には、短い一対の補強桟１５ａ，１５ｂが間隔を保って掛け渡されている。また、前桟１３ａと中桟１３ｃとの間における補強桟１５ａ，１５ｂの延長線上にも、一対の補強桟１６ａ，１６ｂが配置されており、その両端はそれぞれ前桟１３ａと中桟１３ｃとに固定されている。これらの各桟は、溶接で固定されている。なお、各桟は、ボルト等の固定部材で固定さても良い。
【００１８】
なお、中桟１３ｃは、後桟１３ｂとの間の寸法が後述する排水部フロア２３の前後方向の長さに対応するように設置される。また、補強桟１５ａおよび補強桟１６ａは、左桟１４ａとの間の寸法が後述する側部フロア２１の左右方向の長さに対応するように設置され、補強桟１５ｂおよび補強桟１６ｂは、右桟１４ｂとの間の寸法が後述する側部フロア２２の左右方向の長さに対応するように設置される。また、前桟１３ａ、中桟１３ｃ、および補強桟１６ａ，１６ｂで囲まれる部分で本発明に係る作業用開口部１７が形成される。
【００１９】
脚部１２ａは、前桟１３ａの下面における左桟１４ａと補強桟１６ａとの間の略中央と、前桟１３ａの下面における右桟１４ｂと補強桟１６ｂとの間の略中央とに設けられ、脚部１２ｂは、中桟１３ｃの下面における左桟１４ａと補強桟１６ａとの間の略中央と、中桟１３ｃの下面における右桟１４ｂと補強桟１６ｂとの間の略中央とに設けられている。この脚部１２ａ，１２ｂは、ともに、前桟１３ａ、中桟１３ｃに固定され内部にねじが形成された筒状部と、筒状部のねじに螺合するねじが外周に形成され下部に略円板状の支持面が形成された支持部とで構成されている。このため、筒状部に対して支持部を回転させることにより、フレーム１０の高さを調節することができる。
【００２０】
フロア２０は、それぞれ樹脂の成形体からなる一対の側部フロア２１，２２と、排水部フロア２３と、中央フロア本体２４と、壁載置部材２５とで構成されている。側部フロア２１は、図５に示したように、略四角形の板状に形成されている。この側部フロア２１は、フレーム１０の上面における前桟１３ａ，後桟１３ｂ、左桟１４ａ、補強桟１５ａおよび補強桟１６ａで囲まれる部分に設置されるもので、図５の右上側部分を後桟１３ｂに向け、左下側部分を前桟１３ａに向けて配置される。側部フロア２１の上面は二つの平面で構成されており、左側から後部にかけての部分に位置する外面部２１ａが左側の外部側から右側の中央側に向かって下りになった三角形の傾斜面に形成され、前部から右側にかけての部分に位置する内面部２１ｂが前側から後側に向かって下りになった三角形の傾斜面に形成されている。
【００２１】
また、側部フロア２１の上面後縁部には、堰２１ｃが形成され、側部フロア２１の左縁部と後縁部とにおける上面と側面との角部には、フロア上面よりも低い段差部からなる壁載置部２１ｄが形成されている。そして、側部フロア２１の右縁部における上面と側面との角部には、フロア上面よりも低い段差部からなるフロア載置部２１ｅが形成されている。また、フロア載置部２１ｅの前端部には、さらに低い段差部からなる位置決め部２１ｆが形成され、フロア載置部２１ｅの後部には、上下に貫通し、右側が開放された切り欠き部からなる位置決め部２１ｇが形成されている。この側部フロア２１の外周側の所定部分はボルト等でフレーム１０に固定される。
【００２２】
側部フロア２２は、側部フロア２１と左右対称の成形体で構成されており、上面に外面部２２ａと内面部２２ｂとが形成され、周囲に、堰２２ｃ、壁載置部２２ｄおよびフロア載置部２２ｅが形成されている。そして、フロア載置部２２ｅの前端部に位置決め部２２ｆが形成され、フロア載置部２２ｅの後部に、位置決め部２１ｇが形成されている。この側部フロア２２も、外周側の所定部分がボルト等でフレーム１０に固定される。
【００２３】
排水部フロア２３は、図６に示したように、フロア２３ｃの中央に略四角箱形の排水口部２３ａが形成され、フロア２３ｃの後縁部（図６の左下）に上方に突出する堰２３ｂが形成されるとともに、前縁部に段差部からなるフロア載置部２３ｄが形成されている。また、フロア載置部２３ｄの下部には、下方に突出する突部２３ｅが形成されている。なお、排水口部２３ａの底部には外部に連通する排水口が形成されている。この排水部フロア２３は、側部フロア２１，２２間に設置できるように、左右方向の長さが切断によって調節されており、フレーム１０の上面における後桟１３ｂ、中桟１３ｃおよび補強桟１５ａ，１５ｂで囲まれる部分に設置される。
【００２４】
そして、排水部フロア２３がフレーム１０の上面に設置されたときに、堰２３ｂは、側部フロア２１の堰２１ｃおよび側部フロア２２の堰２２ｃと連続した堰を形成する。また、フロア載置部２３ｃは、側部フロア２１のフロア載置部２１ｅと側部フロア２２のフロア載置部２２ｅとにそれぞれ直交してフロア載置部２１ｅとフロア載置部２２ｅとを接続する。これによって、フロア載置部２１ｅ，２２ｅ，２３ｄで連続した段差部が形成される。さらに、突部２３ｅの左端部は、側部フロア２１の位置決め部２１ｇに係合し、突部２３ｅの右端部は、側部フロア２２の位置決め部２２ｇに係合する。
【００２５】
中央フロア本体２４は、厚みがフロア上面２１ｂ，２２ｂ，２３ｃとフロア載せ部２１ｅ，２２ｅ，２３ｄの段差高さと略同じ寸法で、左右および前後の寸法が、想定した最大の大きさ、例えば、左右が１ｍで前後が１．５ｍの平板で構成されている。そして、前後の長さが前桟１３ａと中桟１３ｃとの間の寸法と一致し、左右の寸法が側部フロア２１，２２間の寸法、すなわち、開口用桟１６ａ，１６ｂ間の寸法と一致するように切断される。この中央フロア本体２４は、フロア載置部２１ｅ，２２ｅ，２３ｄの上面に設置され、外周側の所定部分がボルト等で側部フロア２１，２２およびフレーム１０に固定される。なお、排水部フロア２３と中央フロア本体２４とで本発明に係る中央フロアが構成される。
【００２６】
壁載置部材２５は、側部フロア２１，２２の前端間に設置されて、壁載置部２１ｄ，２２ｄと連続する壁載置部を形成するものであり、図７に示したように形成されている。壁載置部材２５は、矩形の棒状体の上面前部に後部よりも低い段差からなる壁載置部２５ａを形成し、左右両側の上部に係合突部２５ｂ，２５ｃを形成しており、長めに成形されている。そして、切断により壁載置部材２５の長さを側部フロア２１，２２間の幅に調節して、壁載置部材２５を側部フロア２１，２２間に設置したときに、壁載置部２５ａは、壁載置部２１ｄ，２２ｄと連続した壁載置部を形成する。また、係合突部２５ｂは、側部フロア２１の位置決め部２１ｆに係合し、係合突部２５ｃは、側部フロア２２の位置決め部２２ｆに係合する。
【００２７】
表面材３０は、厚みが、１〜３ｍｍの樹脂シートで構成されており、フロア２０における排水口部フロア２３ａを除いた部分の上面に載置されている。この表面材３０の表面には、滑り止めの目的と、美観を向上させる目的のための凹凸模様が施されている。また、表面材３０は、側部フロア２１，２２、排水部フロア２３および中央フロア本体２４の各境界部の繋ぎ目を隠す機能や、クッション性および防水性を向上させる機能も備えている。
【００２８】
つぎに、前述した各部材を用いて構成される衛生設備室用床Ａの施工方法を説明する。衛生設備室用床Ａを、所定のスペースに設置してシステムバスＢを施工する場合には、まず、衛生設備室の洗い場のスペースに合わせてフレーム１０を組み立てる。この場合、前桟１３ａ、後桟１３ｂ、左桟１４ａおよび右桟１４ｂを洗い場スペースの前後および左右の寸法に合わせて切断し、四角枠状に組み立てる。つぎに、中桟１３ｃを、左桟１４ａと右桟１４ｂとの内側面間の寸法に切断し、排水部フロア２３の前後の寸法分後桟１３ｂから距離を保たせて左桟１４ａと右桟１４ｂとに固定する。
【００２９】
ついで、側部フロア２１の幅の寸法分左桟１４ａから距離を保たせて、補強桟１５ａを後桟１３ｂと中桟１３ｃに固定し、補強桟１６ａを前桟１３ａと中桟１３ｃに固定する。同様に、側部フロア２２の幅の寸法分右桟１４ｂから距離を保たせて、補強桟１５ｂを後桟１３ｂと中桟１３ｃに固定し、補強桟１６ｂを前桟１３ａと中桟１３ｃに固定する。そして、前桟１３ａの下面に、２個の脚部１２ａを取り付け、中桟１３ｃの下面に、２個の脚部１２ｂを取り付ける。これによって、脚部１２ａ，１２ｂを備え、中央に作業用開口部１７が形成されたフレーム１０が形成される。
【００３０】
つぎに、図８に示したように、フレーム１０の上面の左側に側部フロア２１を設置して、フレーム１０の上面の右側に側部フロア２２を設置する。そして、フレーム１０の上面の中央後部に排水部フロア２３を設置して、フレーム１０の上面の中央前部に壁載置部材２５を設置する。このとき、排水部フロア２３および壁載置部材２５は、側部フロア２１，２２の間隔に合わせて切断する。ついで、図９に示したように、側部フロア２１，２２、排水部フロア２３および壁載置部材２５が設置されたフレーム１０の後部を、浴槽用防水パン３６の前部壁の上端縁部に係合させる。この係合は所定の取付用部材等を用いて行う。そして、脚部１２ａ，１２ｂを調節して、フレーム１０の高さを調節する。
【００３１】
つぎに、図１０に示したように、フレーム１０と浴槽用防水パン３６との周囲に壁面部３７およびドア（図示せず）を設置するとともに、壁面部３７およびドアの上部に天井部（図示せず）を設置する。このとき、各壁面部３７の下端面が壁載置部２１ｄ，２２ｄの上面に位置するようにする。なお、ドアは、衛生設備室用床Ａの前部中央に設置する。そして、衛生設備室内に浴槽３５を搬入して、図１１に示したように、その浴槽３５を浴槽用防水パン３６の内部上面に設置する。
【００３２】
つぎに、フレーム１０の高さ調整、排水部フロア２３の排水口部２３ａ底部の排水口と排水管の接続等のフロア下での作業を行う。このとき、作業者は、作業用開口部１７から排水部フロア２３やフレーム１０の下部側に手を延ばして作業を行う。そして、側部フロア２１，２２および排水部フロア２３の後縁部と浴槽３５の前部上縁部との間にエプロン３５ａを設置したのちに、中央フロア本体２４を作業用開口部１７の周囲に位置するフロア載置部２１ｅ，２２ｅ，２３ｄの上面に設置して、図１２の状態にする。そして、フロア２０の上面に表面材３０を貼り付けてシステムバスＢが完成する。これによって、表面材３０の表面には、左右両側から中央側に向かう水勾配と、中央部分で前方から後方に向かう水勾配とが形成される。
【００３３】
このように、本実施形態に係る衛生設備室用床Ａでは、側部フロア２１，２２として、少数種類のサイズのものを準備し、排水部フロア２３、中央フロア本体２４および壁載置部材２５としてはそれぞれ大きなものを１種類だけ準備するようにしている。そして、排水部フロア２３、中央フロア本体２４および壁載せ部材２５を、使用する側部フロア２１，２２の大きさに応じて切断するようにしている。このため、少ない種類の成形用金型で種々のサイズの衛生設備室用床Ａを形成することができる。
【００３４】
また、フレーム１０には、脚部１２ａ，１２ｂと作業用開口部１７とが備わっている。このため、中央フロア本体２４を最後に設置することにより、作業用開口部１７を利用して衛生設備室用床Ａの下部空間での作業ができるため、配管の接続作業等を容易に行うことができる。さらに、側部フロア２１，２２には、中央フロア本体２４に向けた水勾配が設けられ、中央フロア本体２４は、排水部フロア２３に向けた水勾配が設けられた平面板で構成されている。このため、施工後の使用の際に、衛生設備室用床Ａ上の湯水がすべて排水部フロア２３に向かって流れるようになり、衛生設備室用床Ａ上に湯水が溜まることがなくなる。また、中央フロア本体２４を平面板で構成しているため、中央フロア本体２４をどの部分で切断しても、側部フロア２１，２２との境界部に段差がない連続した面のように形成することができる。
【００３５】
また、本発明に係る衛生設備室用床は、前述した実施形態に限定するものでなく、本発明の技術的範囲において適宜変更して実施することができる。例えば、衛生設備室としては、前述した浴槽３５だけを備えたシステムバスＢに限らず、図１３に示したような、浴槽３５の他に、洗面設備３８や便器３９を備えたシステムバスＣとしてもよい。また、前述した実施形態では、浴槽３５を浴槽用防水パン３６上に設置しているが、この浴槽用防水パン３６は用いなくてもよい。また、表面材３０としては、樹脂シートに代えてタイルを用いることができる。その場合、モルタルや接着剤でフロア２０の表面に貼り付ける。さらに、衛生設備室用床の施工順序は、前述したものに限定するものでなく、適宜、状況に応じて順序を入れ替えることができる。
【符号の説明】
【００３６】
１０…フレーム、１２ａ，１２ｂ…脚部、１７…作業用開口部、２０…フロア、２１，２２…側部フロア、２３…排水部フロア、２４…中央フロア本体、２５…壁載置部材、３０…表面材、３５…浴槽、３６…浴槽用防水パン、３７…壁面部、Ａ…衛生設備室用床。
【図１】
0005284387.tif 000002
【図２】
0005284387.tif 000003
【図３】
0005284387.tif 000004
【図４】
0005284387.tif 000005
【図５】
0005284387.tif 000006
【図６】
0005284387.tif 000007
【図７】
0005284387.tif 000008
【図８】
0005284387.tif 000009
【図９】
0005284387.tif 000010
【図１０】
0005284387.tif 000011
【図１１】
0005284387.tif 000012
【図１２】
0005284387.tif 000013
【図１３】
0005284387.tif 000014